(57)【特許請求の範囲】
【請求項１】
次の式１の化合物、
【化１】
0005785263.tif 000009
（式中、Ｒは、直鎖Ｃ１６アルキル基又は分枝鎖Ｃ２２アルキル基を表わし、
Ｘは、Ｈ、Ｎａ、Ｋ、Ｍｇ、又はＣａを表す。）を含むアレルゲン不活性化剤。
【請求項２】
クエン酸、リンゴ酸、酒石酸、安息香酸、乳酸、グリコール酸、アスコルビン酸、没食子酸、グルコン酸、及びマレイン酸からなる群から選択される少なくとも１つの有機酸を更に含む、請求項１に記載のアレルゲン不活性化剤。
【請求項３】
請求項１又は２に記載のアレルゲン不活性化剤の使用方法であって、
前記アレルゲン活性化剤を液体形態で準備する工程と、
前記アレルゲン活性化剤を基材の表面に適用する工程と、
前記基材を乾燥させて前記アレルゲン活性化剤の少なくとも一部を前記基材の表面から除去する工程であって、任意で前記基材を加熱することを含む、工程と、
を含む方法。
【発明の詳細な説明】
【技術分野】
【０００１】
本開示は、アレルゲンを少なくとも部分的に不活性化するのに有用な組成物、物品、及び方法に関し、より詳細には、屋内又は屋外アレルギーの原因となり得るチリダニ、花粉及びペットに由来するアレルゲンを不活性化することができるアレルゲン不活性化剤組成物に関する。
【背景技術】
【０００２】
統計によると、アメリカ国民の約２０％がアレルギーに悩まされている。アレルギーは、生物が暴露される異物（例えば、抗原を含む）に対する生物の免疫防御システムの反応である。即ち、異物への暴露によって生成される抗原に対する免疫システムの一般に望ましくない反応である。一般に、抗原を含有する異物が最初に生物に提示されると、生物は、抗原に特異的な抗体及びリンパ球を生成し、その後、再度生物に同じ異物が後に提示されると、生物は、自己防衛のための防御システムとして、抗原に対する様々な免疫応答を生成し、この抗原に対する免疫応答がアレルギー反応を引き起こす。アレルギー反応の症状は、命にかかわらないもの（例えば、涙目、くしゃみ、及び掻痒）から、生命にかかわる恐れのあるもの（例えば、呼吸困難又はアナフィラキシーショック）まで様々であり得、又は更には死に致る場合もある。
【０００３】
アレルゲンは、アレルギー反応を引き起こす可能性がある任意の物質であり、例えば、イエダニ、花粉、動物の毛、皮膚の壊死組織片、薬物、植物繊維、細菌、食物、毛髪染剤、薬品などが挙げられる。これら一般的なアレルゲンの中でも、チリダニは、それらの排泄物が呼吸又は直接的な皮膚接触によって人体に暴露されるとアレルギー反応を誘発すると考えられている。動物（例えば、ペット）の毛及び皮膚の壊死組織片もまた、アレルゲンとして作用し得る。しかしながら、花粉は、最も一般的なアレルゲンであると考えられている。空気中の花粉が目、鼻、肺、又は皮膚を介して身体に暴露されると、アレルギー反応が誘発される。特に、鼻又は口を通して花粉を吸入すると、花粉アレルギーと呼ばれる季節性アレルギー性鼻炎の一種を誘発し得る。
【０００４】
動物又は人におけるアレルギーの発症は、アレルゲンへの初期暴露の時点から２年以上を要する場合があり、現れる症状及びアレルギー発作の期間は、アレルゲンに暴露されるたびに次第に悪化する。場合によっては、アレルギー症状は、アレルゲン（例えば、動物由来のアレルゲンへ）の初期暴露の後、６ヵ月又は更にはそれより長い期間にわたって現れることが知られている。
【０００５】
場合によっては、アレルゲンを分解すること又は空気流からアレルゲンを除去することが可能であり得る。例えば、ＰＣＴ国際特許公開ＷＯ  ２００５／０４７４１４は、金属フタロシアニン誘導体を有効成分として含むアレルゲン分解剤、及びそのアレルゲン分解性を開示している。同様に、ＰＣＴ国際特許公開ＷＯ  ２００６／０１１５４１は、イチョウの葉から抽出された天然成分を含むエアフィルタを開示している。しかしながら、かかるエアフィルタは、屋外で使用すると、熱又は光で容易に破壊され得る。一般に、一般的なエアフィルタ又は除塵フィルタを使用して空気中のアレルゲンを除去するのは困難である。
【０００６】
最近、Ｍｉｔｓｕｂｕｓｈｉ  Ｍｏｔｏｒｓ  Ｃｏｒｐ．により、抗アレルギー作用を特許請求したエアフィルタが開発された。このメーカーは、酵素及び尿素を使用するかかるフィルタは、チリダニ、花粉等のアレルゲンを効果的に弱毒化及び不活性化することができると主張する。Ｎｉｓｓａｎ  Ｍｏｔｏｒｓ  Ｃｏｒｐ．もまた、ブドウの種に見られる天然ポリフェノールの特許請求された抗アレルギー効果を用いたフィルタを最近発表した。更に、Ｔｏｙｏｔａ  Ｍｏｔｏｒｓ  Ｃｏｒｐ．は、最近、チリダニの除去に有用であるとして特許請求された自動車座席用布を開発し、このメーカーによると、この新しい布製シートは、自動車の座席の表面に存在するチリダニアレルゲンの約９８％超に効くアレルゲン不活性化剤を含むことが報告されている。
【発明の概要】
【課題を解決するための手段】
【０００７】
当該技術は、空気中のアレルゲンを除去又は分解するための改善された組成物及び方法を絶えず探し求めている。そのため、一態様において、本開示は、アレルゲンを変性又は分解する優れた特性を有するアレルゲン不活性化剤を記載する。洗剤の有効成分として伝統的に使用されるベンゼンスルホン酸及びその塩を研究した結果、本発明者らは、驚くべきことにこれら化合物を、優れたアレルゲン分解性を有するアレルゲン不活性化剤の有効成分として使用することができることを見出した。
【０００８】
いくつかの例示的な実施形態において、本開示のアレルゲン不活性化剤は、良好な抗アレルギー（例えば、アレルゲン不活性化又はアレルゲン分解）効果を提供する。そのため、別の態様において、上記実施形態のいずれか１つに記載のアレルゲン不活性化剤は、液状物質、好ましくは、例えば、充填剤、繊維、布地、不織布物品、座席、洗剤、フィルタ等を含む様々な基材にスプレーするか、ないしは別の方法で適用することができる液状物質に組み込まれることができる。いくつかの例示的な実施形態において、基材はフィルタである。特定の実施形態において、フィルタは、ＨＶＡＣフィルタ、乗物の室内エアフィルタ、又は個人向けエアフィルタ（例えば、呼吸用マスク）である。
【０００９】
別の態様において、本開示は、上記実施形態のいずれか１つに記載のアレルゲンの使用方法を記載し、方法は、アレルゲン活性化剤を液体形態で準備する工程と、アレルゲン活性化剤を基材の表面に適用する工程と、を含む。特定の実施形態において、方法は、アレルゲン活性化剤の少なくとも一部を基材の表面から除去する工程を更に含む。特定の例示的な実施形態において、基材を乾燥させてアレルゲン活性化剤の少なくとも一部を基材の表面から除去する工程が、基材を加熱することを含む。
【００１０】
以上が本開示の代表的実施形態の様々な様態及び効果の概要である。上記の概要は、本発明の図解された各実施形態、又は本発明のあらゆる実施を記載するものではない。更なる特徴及び利点は、以下の実施形態で開示される。以下の発明を実施するための形態は、特定の好ましい実施形態を、本明細書に開示された原則を用いて、より具体的に例示する。
【発明を実施するための形態】
【００１１】
本開示では、次の式１の化合物が、抗アレルギー効果を得るための有効成分である。
【００１２】
【化１】
0005785263.tif 000002
【００１３】
式中、Ｒは、Ｃ１〜Ｃ３０直鎖又は分枝鎖アルキル基であり、Ｘは、Ｈ、Ｎａ、Ｋ、Ｍｇ、又はＣａである。
【００１４】
式１において、Ｒは、１〜３０個の炭素原子、好ましくは１０〜２５個の炭素原子を有する。更に、Ｒは、直鎖又は分枝鎖アルキル基、好ましくは直鎖アルキル基である。
【００１５】
式１の化合物は、優れた洗浄性及び乳化性を示すアニオン性界面活性剤の１つであり、極めて低い臨界ミセル濃度（ＣＭＣ）を有する。いかなる特定の理論に拘束されることを望むものではないが、現在のところ、式１の化合物は、アレルギー反応を誘発するタンパク質を吸収又は吸着し、これを変性させることにより、アレルゲンを不活性化することができると考えられる。
【００１６】
本開示の例示的なアレルゲン不活性化剤の実施形態では、アレルゲン不活性化物質における式１の化合物の含有量は特に限定されないが、好ましくは、本開示のアレルゲン不活性化剤は、式１の化合物を、アレルゲン不活性化剤組成物の重量を基準として、０．５〜５０重量％の量、より好ましくは５〜２０重量％の量で含有する。
【００１７】
いくつかの例示的な実施形態では、高い有効量のアレルゲン不活性化剤を長時間にわたって維持するために、式１の化合物の含有量を、０．５重量％超、例えば、５重量％、１０重量％、１５重量％、２０重量％超、又は更には２５重量％以上に維持することが好ましい場合がある。他の例示的な実施形態では、アレルゲン不活性化剤の粘度を低減するため、又は気泡形成を抑制するために、式１の化合物の含有量を、５０重量％未満、例えば、４５重量％、４０重量％、３５重量％、３０重量％未満、又は更には２５重量％以下に維持することが好ましい場合がある。
【００１８】
本開示のいくつかの例示的な実施形態において、有機酸は、抗アレルギー効果を高めるための補助剤として役立つ。いかなる特定の理論に拘束されることを望むものではないが、現在のところ、本開示の有機酸はｐＨを下げるのを助け、それにより、式１の化合物によるアレルゲン不活性化を促進するのを助けると考えられる。換言すれば、現在のところ、有機酸は、酸性ｐＨ条件下で式１の化合物の作用を受けやすいチリダニアレルゲンの変性を促進すると考えられる。
【００１９】
好適な有機酸は、クエン酸、リンゴ酸、スズ酸、安息香酸、乳酸、グリコール酸、アスコルビン酸、没食子酸、グルコン酸（aluconic acids）、安息香酸、及びマレイン酸から選択される１つ以上の有機酸である。いくつかの例示的な実施形態では、クエン酸を補助剤として使用するのが好ましい。
【００２０】
本開示のアレルゲン不活性化剤における有機酸の含有量は限定されないが、アレルゲン不活性化剤組成物の重量を基準として、０．５〜５０重量％、より好ましくは５〜２０重量％の量で有機酸を含有するのが好ましい。いくつかの例示的な実施形態では、ｐＨを十分に低いレベル（例えば、６．９以下、６以下、５以下、４以下、３以下、又は更にはより低いｐＨ）に維持するために、有機酸の含有量を、０．５重量％超、例えば、５重量％、１０重量％、１５重量％、２０重量％超、又は更には２５重量％以上に維持することが好ましい場合がある。他の例示的な実施形態では、ｐＨが皮膚への刺激を引き起こす程に過度に低く（例えば、３以上、４以上、５以上又は更には６以上のｐＨ、最高でｐＨ６．９）ならないように、有機酸の含有量を、５０重量％未満、例えば、４５重量％、４０重量％、３５重量％、３０重量％未満、又は更には２５重量％以下に維持することが好ましい場合がある。
【００２１】
本開示に記載される式１の化合物のアレルゲン不活性化効果を高めるために、本開示では、別の補助剤であるエチレンジアミン四酢酸（ＥＤＴＡ）の四ナトリウム塩（ＥＤＴＡ四ナトリウム）をキレート剤として使用した。本開示のアレルゲン不活性化剤におけるＥＤＴＡ四ナトリウムの含有量は特に限定されないが、アレルゲン不活性化剤組成物の重量を基準として、０．２重量％〜２重量％、より好ましくは０．５重量％〜１重量％の量でＥＤＴＡ四ナトリウムを含むのが好ましい。
【００２２】
ＥＤＴＡ四ナトリウムの含有量が０．２重量％以上である場合、キレート剤としての阻害効果において有益である。いくつかの例示的な実施形態では、アレルゲン不活性化剤組成物で有効な量のＥＤＴＡ四ナトリウムを維持するために、アレルゲン不活性化剤組成物におけるＥＤＴＡ四ナトリウムの含有量を、アレルゲン不活性化剤組成物の０．２重量％超、例えば、０．５重量％、１．０重量％、２．０重量％、２．５重量％超、又は更には３重量％以上に維持することが好ましい場合がある。他の例示的な実施形態では、酸性ｐＨ範囲におけるＥＤＴＡ四ナトリウムの水溶性が低下するので、有機酸と混合する際に含めることができるＥＤＴＡ四ナトリウムの含有量が制限されるという問題を避けるために、有機酸の含有量を、１０重量％未満、例えば、９重量％、８重量％、７重量％、６重量％％未満、又は更には５重量％以下に維持することが好ましい場合がある。
【００２３】
本開示のいくつかの例示的な実施形態では、アレルゲン不活性化剤をコーティング又はスプレーの形態で使用して基材（例えば、フィルタの表面又は不織布）を処理する際に、アレルゲン不活性化剤を迅速に乾燥させるのを助けるために、１つ以上のＣ１〜Ｃ６アルコールを補助剤として使用してもよい。特定の例示的な実施形態では、安全を考慮すると、エタノールがＣ１〜Ｃ６アルコールとして好ましい。
【００２４】
本開示のアレルゲン不活性化剤におけるＣ１〜Ｃ６アルコールの含有量は特に限定されないが、１種以上のＣ１〜Ｃ６アルコールを、アレルゲン不活性化剤組成物の重量を基準として、１〜２０重量％、より好ましくは４〜１０重量％の量で含むのが好ましい。
【００２５】
いくつかの例示的な実施形態では、アレルゲン不活性化剤組成物の効果的で迅速な乾燥速度を維持するために、アレルゲン不活性化剤組成物中のＣ１〜Ｃ６アルコールの含有量を、アレルゲン不活性化剤組成物の約１重量％超、例えば、５重量％、１０重量％、１５重量％、又は更には２０重量％以上超に維持することが好ましい場合がある。他の例示的な実施形態では、アレルゲン不活性化剤組成物のあらゆる可燃性又は燃焼性の問題を回避するために、Ｃ１〜Ｃ６アルコールの含有量を、２０重量％未満、例えば、１５重量％、１０重量％、７．５重量％未満、又は更には５重量％以下に維持することが好ましい場合がある。
【００２６】
本開示では、典型的には水を溶媒として使用する。本開示のアレルゲン不活性化剤における水の含有量は限定されないが、典型的には、アレルゲン不活性化剤組成物中の有効成分（例えば、式１の化合物及び任意の添加補助剤）の量を特定した後に、１００％のアレルゲン不活性化剤組成物を得るのに必要なだけの量の水を使用する。しかしながら、他の水溶性又は水混和性成分（例えば、水溶性又は水混和性の有機及び／又は無機化合物）がアレルゲン不活性化剤組成物に含まれてもよいことは理解される。
【００２７】
本開示によるアレルゲン不活性化剤組成物は、充填剤、布地、不織布材料、繊維等の中又はこれらの上で使用され得る。いくつかの例示的な実施形態では、アレルゲン不活性化剤を実質的にあらゆる表面、例えば、暖房・換気及び空調（ＨＶＡＣ）フィルタ（例えば、エアフィルタ又は炉フィルタの表面）、乗物の室内エアフィルタ（例えば、自動車、航空機、船舶、潜水艦等などの運搬用車両の客室に入る空気をろ過するためのエアフィルタ）、又は個人向けエアフィルタ（例えば、呼吸用マスク）に適用することができるように、アレルゲン不活性化剤組成物はスプレーの形態で用いられてもよく、それにより、少なくともいくらかのアレルゲンの不活性化、変性、又は分解を促進することにより、表面に抗アレルギー効果を付与することができる。
【００２８】
本開示の代表的な実施形態を上述し、そして更に実施例として以下にも例示しているが、これらは、本発明の範囲を多少なりとも限定する意図はない。逆に、言うまでもなく明らかであるが、本明細書中の説明を読むことによって、本開示の趣旨及び／又は添付の請求項の範囲を逸脱することなく当業者に示唆され得る様々な他の実施形態、修正、及びそれらの均等物を採用することができる。
【実施例】
【００２９】
サンプル及び反応剤の調製、並びに本開示の以下の実施例で用いられる試験結果の測定方法は、以下の通りである。本開示は、特定のアレルゲンに対する種々のアレルゲン不活性化剤組成物の不活性化能力を測定する方法として、ＥＬＩＳＡ（酵素免疫吸着アッセイ）試験を用いた。この方法は、抗原抗体反応に起因する色の変化をモニタリングすることにより、アレルゲン濃度を測定することができる。ここでは、各実施例及び比較例において、異なる種類の特定有効成分及びアレルゲン、並びにそれらの異なるコーティング量を用いて試験を実施した。
【００３０】
１．試料調製
有効成分として式１の化合物を１０重量％、クエン酸無水物を４．５重量％、ＥＤＴＡ塩を０．５重量％、エタノールを５重量％、及び水を８０重量％含むアレルゲン不活性化剤を調製した。スパンボンド式不織布（重量：８０ｇ／ｓｑｍ）をフィルタとして使用した。ドーピング工程及び乾燥工程によりアレルゲン不活性化剤をフィルタにコーティングして試験用サンプルを得た。この試験で使用したサンプルの寸法は５ｍｍ×５ｍｍであった。
【００３１】
２．アレルゲンの調製
ＥＬＩＺＡ試験で使用したアレルゲンは、
１）イエダニの残留物：Ｄｅｒ  ｐ  １、Ｄｅｒ  ｆ  １、Ｄｅｒ  ｐ  ２、及びＤｅｒ  ｆ  ２
２）花粉：Ｂｅｔ  ｖ  １（即ち、樺の木花粉）
３）ペットの残留物：Ｃａｎ  ｆ  １（即ち、ペットのふけ）
各抗原ごとにＥＬＩＳＡ試験キット（Ｉｎｂｉｏ  ＧｍｂＨ（Ｊｕｌｉｃｈ、Ｇｅｒｍａｎｙ））を使用し、各抗原をＰＢＳに溶解させて、２５０ｎｇ／ｍＬの試験用アレルゲン溶液を準備した。ＥＬＩＳＡキット製造業者の説明書に従って他の試薬を調製した。
【００３２】
３．アレルゲン不活性化剤が適用されたサンプルを用いた各抗原の試験
各サンプルを５ｍｍ×５ｍｍの寸法に切断した後、２５℃のアレルゲン溶液（２５０ｎｇ／ｍＬ）３００ｕＬに１時間にわたって浸漬させた。１時間浸漬させた後、溶液（上澄み）１００ｕＬを、抗体でコーティングされた９６ウェルマイクロプレートに注ぎ込んだ。マイクロプレートリーダーを使用してマイクロプレートの吸光度を４０５ｎｍで測定した後、各サンプル中のアレルゲン濃度を測定した。
【００３３】
４．試験結果の測定
アレルゲン不活性化の効率を算出するため、マイクロプレートリーダーを４０５ｎｍで使用して、サンプルの入った反応液中の各抗原の濃度を測定した。
【００３４】
効率（％）＝（２５０−各サンプルごとに測定したアレルゲン濃度）／２５０
実施例１〜６及び比較例１〜５：有効成分としての様々な種類の界面活性剤の試験
式１の様々な化合物をアレルゲン不活性化剤の有効成分として含むサンプル（実施例１〜６）、界面活性剤を有さないサンプル（比較例１）、及び式１の化合物の代わりに他の界面活性剤を含むサンプル（比較例２〜５）を使用して、Ｄｅｒ  ｐ  １の除去効率を測定した。ここでは、サンプル中の有効成分のコーティング量は、１ｇ／ｍ２であった。
【００３５】
結果を表１に示す。
【００３６】
【表１】
0005785263.tif 000003
【００３７】
実施例７〜１０：様々な種類の有機酸及びＥＤＴＡ塩の試験
Ｄｅｒ  ｆ  １を試験アレルゲンとし、次の成分を含むアレルゲン不活性化剤を使用して、アレルゲン不活性化効果を測定した。結果を表２に示す。
【００３８】
【表２】
0005785263.tif 000004
【００３９】
実施例１１〜１６及び比較例６：イエダニ残留物の試験
４種類のイエダニ（Ｄｅｒ  ｐ  １、Ｄｅｒ  ｆ  、Ｄｅｒ  ｐ  ２、及びＤｅｒ  ｆ  ２）、及びヘキサデシルジフェニルオキシド二スルホン酸二ナトリウムを有効成分として含むアレルゲン不活性化剤を使用して除去効率を測定し、試験は、サンプル中の全有効成分のコーティング量を変化させて（即ち、０．５、１、２、３、４、及び８ｇ／ｍ２）行った。結果を表３に示す。
【００４０】
【表３】
0005785263.tif 000005
【００４１】
試験の結果、未処理サンプルと比べて、本開示のアレルゲン不活性化剤は、Ｄｅｒ  ｐ  １、Ｄｅｒ  ｆ  １、Ｄｅｒ  ｐ  ２、及びＤｅｒ  ｆ  ２に対して優れたアレルゲン不活性化効果を示すことが見出された。
【００４２】
実施例１７〜２２及び比較例７：花粉及びペットのふけの試験
Ｂｅｔ  ｖ  １及びＣａｎ  ｆ  １をタンパク質濃度２５０ｎｇ／ｍＬで試験アレルゲンとして使用し、ヘキサデシルジフェニルオキシド二スルホン酸二ナトリウムを有効成分として含むアレルゲン不活性化剤を使用して除去効率を測定し、試験は、サンプル中の有効成分のコーティング量を変化させて（即ち、０．５、１、２、３、４、及び８ｇ／ｍ２）行った。結果を表４に示す。
【００４３】
【表４】
0005785263.tif 000006
【００４４】
試験の結果、未処理サンプルと比べて、本開示のアレルゲン不活性化剤は、Ｂｅｔ  ｖ  １及びＣａｎ  ｆ  １に対して優れたアレルゲン不活性化効果を示すことが見出された。
【００４５】
実施例２３及び比較例８：耐久性試験
サンプルシートを供給フィルタ（feefilter）に取り付けた後、ＲＡＰ（空気清浄器）ユニットに取り付けた。空気清浄器を作動させた後、１ｇ／ｍ２の有効成分で処理した不織布シートを使用して、耐久性試験を１ヵ月にわたって実施した（実施例２３）。Ｄｅｒ  ｐ  １、Ｃａｎ  ｆ  １及びＢｅｔ  ｖ  １を試験アレルゲンとして使用した。未処理サンプルに対しても同じ試験を行った。
【００４６】
試験結果を表５に示す。
【００４７】
【表５】
0005785263.tif 000007
【００４８】
試験の結果、未処理サンプルと比べて、本開示のアレルゲン不活性化剤は、Ｄｅｒ  ｐ  １、Ｃａｎ  ｆ  １及びＢｅｔ  ｖ  １に対して有意な高耐久性を呈することが見出された。
【００４９】
本明細書で特定の代表的実施形態を詳細に説明したが、当然のことながら、当業者は上述の説明を理解した上で、これらの実施形態の代替物、変更物、及び均等物を容易に想起することができるであろう。したがって、本開示は本明細書で以上に述べた例示の実施形態に不当に限定されるべきではないと理解すべきである。
【００５０】
様々な代表的実施形態を上で説明した。これら及び他の実施形態は、開示される実施形態の以下の列挙の範囲内である。
以下に、本願発明に関連する発明の実施形態について列挙する。
［実施形態１］
次の式１の化合物、
【化２】
0005785263.tif 000008
（式中、Ｒは、Ｃ１〜Ｃ３０の直鎖又は分枝鎖アルキル基を表わし、
Ｘは、Ｈ、Ｎａ、Ｋ、Ｍｇ、又はＣａを表す。）を含むアレルゲン不活性化剤。
［実施形態２］
クエン酸、リンゴ酸、酒石酸、安息香酸、乳酸、グリコール酸、アスコルビン酸、没食子酸、グルコン酸、及びマレイン酸からなる群から選択される少なくとも１つの有機酸を更に含む、実施形態１に記載のアレルゲン不活性化剤。
［実施形態３］
前記有機酸がクエン酸である、実施形態２に記載のアレルゲン不活性化剤。
［実施形態４］
エチレンジアミン四酢酸の四ナトリウム塩（ＥＤＴＡ四ナトリウム）を更に含む、実施形態１に記載のアレルゲン不活性化剤。
［実施形態５］
エチレンジアミン四酢酸の四ナトリウム塩（ＥＤＴＡ四ナトリウム）と、
１つ以上のＣ１〜Ｃ６アルコールと、
水と、
を更に含む、実施形態１又は２に記載のアレルゲン不活性化剤。
［実施形態６］
前記式１の化合物が、ヘキサデシルジフェニルオキシド二スルホン酸ナトリウムである、実施形態１又は２に記載のアレルゲン不活性化剤。
［実施形態７］
前記組成物が、前記組成物１００重量％に対して、
０．５〜５０重量％の前記式１の化合物と、
０．５〜５０重量％の前記有機酸と、
０．２〜２重量％のエチレンジアミン四酢酸の四ナトリウム塩（ＥＤＴＡ四ナトリウム）と、
１〜２０重量％の１種以上のＣ１〜Ｃ６アルコールと、
バランス量の水と、
を含む、実施形態２に記載のアレルゲン不活性化剤。
［実施形態８］
前記組成物が、前記組成物１００重量％に対して、
５〜２０重量％の前記式１の化合物と、
５〜２０重量％の前記有機酸と、
０．５〜１重量％のＥＤＴＡ四ナトリウムと、
４〜１０重量％の１種以上のＣ１〜Ｃ６アルコールと、
バランス量の水と、
を含む、実施形態７に記載のアレルゲン不活性化剤。
［実施形態９］
実施形態１〜８のいずれか一項に記載のアレルゲン不活性化剤を使用したフィルタ。
［実施形態１０］
実施形態１〜８のいずれか一項に記載のアレルゲン不活性化剤を使用したスプレー。
［実施形態１１］
実施形態１〜８のいずれか一項に記載のアレルゲン不活性化剤を使用した布地。
［実施形態１２］
実施形態１〜８のいずれか一項に記載のアレルゲン不活性化剤を使用した不織布。
［実施形態１３］
実施形態１〜８のいずれか一項に記載のアレルゲン不活性化剤を使用した繊維。
［実施形態１４］
実施形態１〜８のいずれか一項に記載のアレルゲン不活性化剤を使用した洗剤。
［実施形態１５］
実施形態１〜８のいずれか一項に記載のアレルゲン不活性化剤の使用方法であって、
前記アレルゲン活性化剤を液体形態で準備する工程と、
前記アレルゲン活性化剤を基材の表面に適用する工程と、
を含む、方法。
［実施形態１６］
前記基材を乾燥させて前記アレルゲン活性化剤の少なくとも一部を前記基材の表面から除去する工程を更に含む、実施形態１５に記載の方法。
［実施形態１７］
前記基材を乾燥させて前記アレルゲン活性化剤の少なくとも一部を前記基材の表面から除去する工程が、前記基材を加熱することを含む、実施形態１６に記載の方法。
［実施形態１８］
前記基材が、充填剤、繊維、布地、不織布物品、及びフィルタから選択される、実施形態１５〜１７のいずれか一項に記載の方法。
［実施形態１９］
前記基材がフィルタである、実施形態１８に記載の方法。
［実施形態２０］
前記フィルタが、ＨＶＡＣフィルタ、乗物の室内エアフィルタ、又は個人向けエアフィルタ（呼吸用マスク）である、実施形態１９に記載の方法。